(57)【特許請求の範囲】
【請求項１】
植毛台に、横断面が略多角形状で長さ方向にねじれを有するフィラメント毛を集束した毛束を植設して植毛部を構成してなる歯ブラシであって、前記植毛部に前記ねじれを有するフィラメント毛より横断面積が小さいフィラメント毛を集束した毛束を混在させてなり、該横断面積が小さいフィラメント毛が横断面円形でねじれを有しないフィラメント毛である歯ブラシ。
【請求項２】
ねじれを有するフィラメント毛からなる毛束を植毛部の外側に植設し、前記ねじれを有するフィラメント毛より横断面積が小さいフィラメント毛からなる毛束を植毛部の内側に植設して植毛部を構成してなる請求項１記載の歯ブラシ。
【請求項３】
植毛部が、植毛台の長さ方向にのびる毛束列を植毛台の幅方向に３列以上配設した部分を有し、それらの毛束列のうちの外側の毛束列がねじれを有するフィラメント毛からなる毛束で構成され、内側の毛束列が前記ねじれを有するフィラメント毛より横断面積が小さいフィラメント毛からなる毛束で構成されている請求項２記載の歯ブラシ。
【請求項４】
植毛部を構成する毛束中の４０％〜８０％がねじれを有するフィラメント毛からなる毛束である請求項１〜３のいずれかに記載の歯ブラシ。
【請求項５】
ねじれを有するフィラメント毛が、横断面が略正三角形で長さ１ｃｍ当たり１．５〜４回のねじれを有するフィラメント毛、横断面が略正方形で長さ１ｃｍ当たり２〜４回のねじれを有するフィラメント毛及び横断面が略正五角形で長さ１ｃｍ当たり２．５〜３．５回のねじれを有するフィラメント毛のうちから選択される少なくとも１種である請求項１〜４のいずれかに記載の歯ブラシ。
【発明の詳細な説明】
【０００１】
【発明の属する技術分野】
本発明は、歯ブラシに関するものである。
【０００２】
【従来の技術】
通常の歯ブラシは、断面円形でストレートなフィラメント毛から植毛部が構成されているが、歯表面の汚れ除去効果を向上させるために、ねじれを有するフィラメント毛を用いた歯ブラシが従来から知られている。例えば、特開平３−２８９９０６号公報には、断面が多角形の歯ブラシ毛の胴部をねじる、又は歯ブラシ毛複数本を縄状にねじり合わせることにより、歯ブラシ毛の胴部に螺旋状の凸部を形成した歯ブラシが開示されている。また、特表平１１−５１３２６９号には、剛毛（フィラメント毛）の周面に螺旋を有している歯ブラシが開示されている。前記のような断面多角形のフィラメント毛をねじったものや周面に螺旋を有するフィラメント毛を用いた歯ブラシは、前記フィラメント毛のねじれや螺旋によりその周面に凹凸部が形成されていて、この凹凸部による汚れの掻き取り効果により、断面円形の通常のフィラメント毛を用いた歯ブラシに比べて汚れ除去効果が高く、フィラメント毛の周面が歯の表面に当たりやすい方法で歯を磨く場合に前記凹凸部の接触による汚れ除去効果が高い。また、歯間部の清掃時にも、歯間部に挿入されたフィラメント毛先端部による汚れ除去効果に加えて、歯の表面に対するフィラメント毛周面の凹凸部の接触による汚れ除去効果が期待される。
【０００３】
前記歯間部の清掃時には、図６（ａ）に示すように歯ブラシ１の植毛部４を歯Ｔの表面に押し当てた状態から歯ブラシ１を左右又は上下に振動させることで図６（ｂ）のように植毛部４を構成するフィラメント毛ｆが座屈して狭い歯間部Ｚへ周辺のフィラメント毛ｆが収束した状態で挿入され、挿入されたフィラメント毛ｆの先端部により歯間部Ｚの汚れが掻き出されるとともにフィラメント毛ｆの周面が歯間部Ｚに臨む歯Ｔの表面に接触して汚れが除去される。ところが、植毛部４全体の座屈強度が大きいと、図６（ａ）の状態から歯ブラシ１を振動させた時の歯間部Ｚへのフィラメント毛ｆの挿入性が悪く、歯間部Ｚに対する汚れ除去効果が期待できない。
【０００４】
【発明が解決しようとする課題】
本発明は、断面が略多角形状で長さ方向にねじれを有するフィラメント毛から植毛部を構成して歯の汚れ除去効果を向上させてなる歯ブラシにおいて、歯間部における汚れ除去効果を改善することを目的とするものである。
【０００５】
【課題を解決するための手段】
本発明者らは鋭意研究を重ねた結果、断面が略多角形状で長さ方向にねじれを有するフィラメント毛から植毛部を構成することで歯の汚れ除去効果を向上させてなる歯ブラシにおいて、前記ねじれを有するフィラメント毛より柔らかいフィラメント毛を植毛部に混在させることにより、植毛部全体の座屈強度を小さくして歯間部へのフィラメント毛の挿入性を向上させ、長さ方向のねじれによりフィラメント毛周面に形成された凹凸部により歯間部の歯の表面の汚れを効果的に除去することができるとの着想に基づき、本発明を完成させるに至った。
【０００６】
即ち、本発明に係る歯ブラシは、植毛台に、横断面が略多角形状で長さ方向にねじれを有するフィラメント毛を集束した毛束を植設して植毛部を構成してなる歯ブラシであって、前記植毛部に前記ねじれを有するフィラメント毛より横断面積が小さいフィラメント毛を集束した毛束を混在させてなり、該横断面積が小さいフィラメント毛が横断面円形でねじれを有しないフィラメント毛であるものである。このように、横断面が略多角形状で長さ方向にねじれを有するフィラメント毛（以下、この横断面が略多角形状で長さ方向にねじれを有するフィラメント毛を「ねじれたフィラメント毛」とも称する。）を集束した毛束とそれより横断面積が小さいフィラメント毛（以下、このような横断面積が小さいフィラメント毛を「柔らかいフィラメント毛」とも称する。）を集束した毛束とを混在させて植毛部を構成することで、柔らかいフィラメント毛の座屈強度はねじれたフィラメント毛の座屈強度より小さいことから、植毛部をねじれたフィラメント毛のみから構成した場合に比べて植毛部の座屈強度が全体にほぼ均一に小さくなるため、歯間部へのフィラメント毛の挿入性が向上する。また、ねじれたフィラメント毛は、断面が略多角形、例えば図４に示すように略正方形で長さ方向にねじれを有することから、断面形状の外接円となる見掛けの断面円Ｒとフィラメント毛周面の各面７ａ〜７ｄそれぞれとのギャップＧによりフィラメント周面長さ方向に凹凸部が形成されており、この凹凸部が歯の表面に接触することで優れた汚れ除去効果を発揮する。従って、歯間部に挿入されたフィラメント毛の先端部による汚れの掻き取り効果に加えて、ねじれたフィラメント毛の周面に形成された凹凸部が歯間部の歯の表面に接触することによる汚れ掻き取り効果により、歯間部の汚れを効果的に除去することができる。
【０００７】
本発明において、前記歯ブラシの植毛部に、ねじれたフィラメント毛を集束した毛束とそれより柔らかいフィラメント毛を集束した毛束とを混在させるとは、例えば、図５（ａ）〜（ｄ）に示すように、複数の毛束列から植毛部４が構成されている場合に、ねじれたフィラメント毛からなる毛束５ａ（図中、黒丸で示す）から構成される毛束列と、柔らかいフィラメント毛からなる毛束５ｂ（図中、白丸で示す）から構成される毛束列とから植毛部を構成したり、図５（ｄ）に示すように、ねじれたフィラメント毛からなる毛束５ａと、柔らかいフィラメント毛からなる毛束５ｂとを千鳥状に交互に、あるいは植毛部４全体にランダムに植設したりすることで、植毛部４をねじれたフィラメント毛からなる毛束５ａのみで構成した場合に比べて、植毛部４全体をねじれたフィラメントから構成した場合に較べて植毛部４が全体にほぼ均一に座屈強度が小さくなるように構成することを意味するものである。従って、図７（ａ）〜（ｄ）に示すように、ねじれたフィラメント毛からなる毛束５ａと柔らかいフィラメント毛からなる毛束５ｂとが植毛部４内で偏在していて植毛部４内の場所により座屈強度が異なり全体に不均一になるようなものは、本発明における混在からは除外される。
【０００８】
前記のようにねじれたフィラメント毛からなる毛束と柔らかいフィラメント毛からなる毛束とを混在させる場合においては、ねじれたフィラメント毛からなる毛束を植毛部の外側に植設し、柔らかいフィラメント毛からなる毛束を植毛部の内側に植設して植毛部を構成すれば、全体をねじれたフィラメント毛からなる毛束から構成した場合に比べて植毛部の座屈強度が全体にほぼ均一に小さくなることによる歯間部へのフィラメント毛の挿入性の向上により汚れ除去効果が改善されることに加えて、バス法やローリング法など、フィラメント側面が積極的に作用する方法で歯磨きを行う場合に、ねじれたフィラメント毛の周面に形成されている凹凸部による効果的な汚れ除去効果が期待できる。例えば、図５（ａ）に示すように、植毛部４に、植毛台３の長さ方向にのびる毛束列を植毛台３の幅方向に３列以上配設した部分がある場合、これら植毛台３の長さ方向にのびる毛束列のうちの外側に位置する毛束列をねじれたフィラメント毛からなる毛束５ａで構成し、内側に位置する毛束列を前記ねじれたフィラメント毛より柔らかいフィラメント毛からなる毛束５ｂで構成することで、植毛部４側面に位置するねじれたフィラメント毛による汚れ除去効果の向上と歯間部へのフィラメント毛の挿入性の向上による歯間部の汚れ除去効果の改善とを達成することができる。
【０００９】
また、前記植毛部を構成するフィラメント毛は、植毛部全体を構成する毛束数に対して４０〜８０％の毛束をねじれたフィラメント毛からなる毛束で構成することが好ましい。ねじれたフィラメント毛からなる毛束の割合が４０％未満では、汚れ除去効果の点で、ねじれを有さない通常のフィラメント毛のみから植毛部を構成した歯ブラシとの差がでない。一方、ねじれたフィラメント毛からなる毛束の割合があまり高いと植毛部全体をねじれたフィラメント毛で構成した場合と座屈強度及び歯間部の汚れ除去効果に差がでないことから、ねじれたフィラメント毛からなる毛束の割合は植毛部全体の毛束数の８０％以下とすることが好ましい。
【００１０】
前記ねじれたフィラメント毛より柔らかいフィラメント毛としては、横断面が前記ねじれたフィラメント毛より小さく座屈強度が小さいものであり、横断面円形で周面にねじれを有しないフィラメント毛（以下、この横断面円形でねじれを有しないフィラメント毛を「円形フィラメント毛」と称する。）を好適に用いることができる。このような円形フィラメント毛は、通常、歯ブラシの植毛部に用いられている汎用品であり、フィラメントの製造が容易で製造コストも安くつくことから、断面略多角形フィラメントやねじれたフィラメントを用いる場合に較べて歯ブラシの製造コストの面で有利である。従って、本発明の歯ブラシにおいては、ねじれたフィラメント毛とそれより柔らかい円形フィラメント毛との組み合わせは好ましい態様である。
【００１１】
前記ねじれたフィラメント毛は、その横断面形状の多角形の角数が多くなるに従って円形に近づき、例えば図４（ｂ）に示す見かけの断面円Ｒと周面７ａ〜７ｄのそれぞれとの間のギャップＧが小さくなり、このギャップＧによりフィラメント周面の長さ方向に形成される凹凸が小さくなり、円形フィラメント毛の場合と汚れ除去効果に差がなくなる。ねじれの数を増やすことで長さ方向に形成される凹凸の数が増えて汚れ除去効果は向上するが、ねじれの数が増えるに従ってフィラメント製造時のストレスによりねじれたフィラメント毛の強度は低下し、また横断面の多角形の角数が多くなるに従ってフィラメント製造時のストレスは大きくなる傾向にある。このような点から、ねじれたフィラメント毛の横断面形状としては、略正三角形、略正方形及び略正五角形のうちから選択される少なくとも１種の多角形であることが好ましく、またこれらねじれたフィラメント毛のねじれの数としては、横断面が略正三角形のスパイラル毛の場合には、その長さ方向１ｃｍ当たり１．５〜４回のねじれを有し、横断面が略正方形のスパイラル毛の場合には、その長さ方向１ｃｍ当たり２〜４回のねじれを有し、横断面が略正五角形のスパイラル毛の場合には、その長さ方向１ｃｍ当たり２．５〜３．５回のねじれを有することが好ましい。これらの中でも、横断面形状が略正方形であり、その周面の長さ方向１ｃｍ当たり３回程度のねじれを有するフィラメント毛がより好ましい。前記横断面が略正三角形のスパイラル毛の場合には、その長さ方向のねじれが１ｃｍ当たり１．５未満では、ねじれのない通常のフィラメント毛と汚れ除去効果に明確な差がなく、長さ方向のねじれの数が４回より多くなるとフィラメント製造時のストレスなどにより引っ張り強度などフィラメント強度が低下する。前記横断面が略正方形のスパイラル毛の場合には、その長さ方向のねじれが１ｃｍ当たり２回未満では、ねじれのない通常のフィラメント毛と汚れ除去効果に明確な差がなく、長さ方向のねじれの数が４回より多くなるとフィラメント製造時のストレスなどにより引っ張り強度などフィラメント強度が低下する。更に、前記横断面が略正五角形のスパイラル毛の場合には、その長さ方向のねじれが１ｃｍ当たり２．５未満では、ねじれのない通常のフィラメント毛と汚れ除去効果に明確な差がなく、長さ方向のねじれの数が３．５回より多くなるとフィラメント製造時のストレスなどにより引っ張り強度などフィラメント強度が低下する。
【００１２】
【発明の実施の形態】
図１は、本発明に係る歯ブラシの１実施例を示しており、歯ブラシ１はハンドル部２と植毛台３とからなり、植毛台３にはフィラメント毛を集束した多数の毛束５を植設して植毛部４を設けてある。前記フィラメント毛は、ナイロン、ポリエステルなど歯ブラシの植毛部のフィラメント毛に通常用いられている樹脂材料を押出し成形したモノフィラメントからなり、このモノフィラメントからなる多数のフィラメント毛を集束した毛束５を植毛台３に形成された植毛穴６（図３参照。）に植設してなる。
【００１３】
図例の歯ブラシ１の植毛部４は、図２に示すように、植毛台３の幅方向及び長さ方向に複数列の毛束列を配置してなり、植毛台３の長さ方向の中央部には、植毛台３の幅方向に、植毛台３の長さ方向にのびる４列の毛束列５Ａ、５Ｂ、５Ｂ、５Ａを配置し、植毛台３の長さ方向の両端部においては、植毛台３の幅方向の毛束５の数を３、２と減少させて、植毛部４の長さ方向の両端部において、その幅が狭くなるように構成してある。そして、前記植毛台３の長さ方向中央部に配置された４列の毛束列のうち両外側の毛束列５Ａ、５Ａおよび植毛部４の両端部における外側に位置する毛束を横断面が略多角形状で長さ方向にねじれを有するねじれたフィラメントからなる毛束５ａ（図中、黒丸で示す）から構成するとともに、内側に位置する毛束列５Ｂ、５Ｂは、横断面が円形で前記ねじれたフィラメント毛より小さな横断面積を有し、ねじれていない円形フィラメント毛からなる毛束５ｂ（図中、白丸で示す）から構成してある。
【００１４】
前記植毛部４の外側に位置する毛束を構成するねじれたフィラメント毛７は、例えば図４に示すように、横断面が０．２０３ｍｍ×０．２０３ｍｍの略正方形（横断面積＝０．０４１２ｍｍ2）で、長さ方向１ｃｍ当たり３回のねじれを有するものである。なお、本発明で、ねじれたフィラメント毛７における長さ方向のねじれの数とは、例えば、図４（ａ）に示す断面略正方形のねじれたフィラメント毛７の周面に螺旋状に形成される４つの面７ａ〜７ｄがフィラメントの周囲を３６０°回る毎に１回と数えるもので、図４（ａ）に示す寸法Ｌがねじれ１回分のフィラメントの長さである。このねじれたフィラメント毛７は、ナイロン、ポリエステルなど、歯ブラシの植毛部のフィラメントとして通常用いられている樹脂材料を、所定の断面形状に応じた形状のノズル孔、例えば図４に示すような断面略正方形のねじれたフィラメント毛７の場合には、正方形のノズル孔から押出し成形したフィラメントにねじりを加え、ねじりを固定することにより製造されるモノフィラメントを使用できる。このねじれたフィラメント毛７は、正方形断面の外接円である見掛けの円断面Ｒとフィラメント周面の各面７ａ〜７ｄとのそれぞれの間に生ずるギャップＧにより、フィラメント７の長さ方向に凹凸部が形成されている。従って、このフィラメント７の周面が歯の表面に接触することで、前記凹凸部により汚れが効果的に除去されるものである。このねじれたフィラメント７の太さ（断面の大きさ）としては、断面の多角形の一辺の長さがほぼ０．１５ｍｍ〜０．３０ｍｍの範囲内であるものが好ましい。また、この断面略多角形でねじれたフィラメント毛として、例えば異なる色に着色した２種類の樹脂原料から同時押出成形によりフィラメントを成形し、これにねじりを加え、ねじりを固定することで、周面の一部、例えば図４（ａ）に示す面７ａを他の面７ｂ〜７ｄとは異なる色に着色して、フィラメント毛７の周面に螺旋状模様を付与したりすることもできる。
【００１５】
また、前記植毛部４の内側に位置する毛束を構成する前記ねじれたフィラメント毛７よりも横断面積の小さな柔らかいフィラメント毛は、例えば直径が０．２０３ｍｍの円形断面（横断面積＝０．０３２３ｍｍ2）で長さ方向にねじれのない、通常、歯ブラシの植毛部に使用されるフィラメント毛であり、前記ねじれたフィラメント毛７と同様のナイロンまたはポリエステルなどの樹脂材料を常法どおり押出し成形することにより製造されるモノフィラメントからなる。この柔らかいフィラメント毛の太さ（断面の大きさ）は、前記ねじれたフィラメントより細い（断面積が小さい）ものであればよいが、植毛部４全体の座屈強度に均一性をもたせるため、ねじれたフィラメント毛の横断面積の６０％以上の横断面積を有するものが好ましい。
【００１６】
上記のように、植毛部４の外側に位置する毛束をねじれたフィラメント毛７からなる毛束５ａで構成し、内側に位置する毛束を前記ねじれたフィラメント毛７よりも横断面積の小さい柔らかいフィラメント毛、例えば円形フィラメント毛からなる毛束５ｂで構成して、ねじれたフィラメント毛７からなる毛束５ａとそれより柔らかいフィラメント毛からなる毛束５ｂとを混在させた状態で植毛部４を構成することにより、全体を前記ねじれたフィラメント毛７のみから構成した場合に比べて植毛部４の座屈強度が全体にほぼ均一に小さくなり、図６に示すような歯間部Ｚの清掃時に、植毛部４を構成するフィラメント毛ｆの歯間部Ｚへの挿入性が向上し、フィラメントｆ先端部による汚れの掻き出し効果に加えてねじれたフィラメント毛７周面に形成された凹凸部が歯間部Ｚの歯の表面へ接触することにより汚れを効果的に除去することができる。
【００１７】
前記植毛部４を構成する毛束は、植毛部４全体の毛束数に対して４０％以上をねじれたフィラメント毛７からなる毛束５ａで構成することが好ましい。ねじれたフィラメント毛７からなる毛束５ａの割合が４０％未満では、汚れ除去効果の点で、ねじれを有さない円形フィラメント毛のみから植毛部を構成した歯ブラシと明確な差がでない。一方、植毛部におけるねじれたフィラメント毛７からなる毛束５の割合があまり高いと植毛部４全体をねじれたフィラメント毛７のみで構成した場合と座屈強度及び歯間部の汚れ除去効果に明確な差がでないことから、ねじれたフィラメント毛７からなる毛束５ａの割合は植毛部４を構成する毛束数の８０％以下とすることが好ましい。図示した実施例の歯ブラシ１では、植毛部４の両外側のそれぞれに、ねじれたフィラメント７からなる８束（合計１６束）の毛束５ａを植設し、植毛部４の内側には円形断面でねじりを有さない円形フィラメント毛からなる合計１０束の毛束５ａを植設して植毛部４を構成してあり、植毛部４を構成する毛束のうちの約６２％が、ねじれたフィラメント毛７からなる毛束５ａで構成されている。
【００１８】
（実験）
ねじれたフィラメント毛７とそれより柔らかい円形フィラメント毛とを混在させて植毛部４を構成した上記実施例の歯ブラシと、前記実施例の歯ブラシにおける植毛部４の内側に植設された円形フィラメント毛からなる毛束５ｂの全てをねじれたフィラメント毛７からなる毛束５ａに置き換えた歯ブラシ（比較例）とについて、汚れ除去効果を評価した。なお、植毛部４のフィラメント毛の毛丈（図３に示す寸法ｈ）は９．５ｍｍ、ねじれたフィラメント毛は断面が０．２０３ｍｍ×０．２０３ｍｍの略正方形で長さ方向１ｃｍ当たり３回のねじれを有するナイロン製モノフィラメントで、各植毛穴６に植設された毛束５ａのフィラメント数は１６本／穴であり、円形フィラメント毛は断面の直径が０．２０３ｍｍのナイロン製モノフィラメントで、各植毛穴６に植設された毛束５ｂのフィラメント数は２２本／穴である。また、植毛台３の厚さ（図３に示す寸法Ｄ）は５ｍｍ、植毛穴６の深さ（図３に示す寸法ｄ）は３．８ｍｍ、また穴径（図３に示す寸法ｗ）はφ＝１．７ｍｍである。
【００１９】
汚れ除去効果の評価は、上顎第１、２大臼歯（２歯）の表面に汚れを均一に塗布し、頬側歯間部及び咬合面について、歯に対して植毛部を９０°の角度であて、歯ブラシ振幅１５ｍｍで５秒間ブラッシングした後、汚れが除去された面積の割合（％）を画像解析して汚れ除去率とした。結果を表１に示す。
【００２０】
【表１】
0004720025.tif 000002
【００２１】
表１の結果から明らかなように、植毛部全体をねじれたフィラメント毛のみから構成した比較例の歯ブラシに較べて、植毛部の外側に位置する毛束をねじれたフィラメント毛から構成し、内側に位置する毛束をそれより柔らかい円形フィラメントから構成した実施例の歯ブラシは、歯間部の汚れ除去効果に優れ、また咬合面の汚れ除去効果においても比較例の歯ブラシとほぼ同等の効果を有する。更に、実施例の歯ブラシ１のように、植毛台３の幅方向に、植毛台３の長さ方向にのびる３列以上の毛束列を配置し、それらの毛束列５Ａ，５Ｂ，５Ｂ，５Ａのうち外側に位置する毛束列５Ａ、５Ａをねじれたフィラメント毛からなる毛束５ａで構成し、内側に位置する毛束列５Ｂ、５Ｂを柔らかい円形フィラメントからなる毛束５ｂから構成することで、植毛部４側面による汚れ除去効果も優れたものとなる。
【００２２】
また、前記ねじれたフィラメント毛より柔らかいフィラメント毛としては、横断面が前記ねじれたフィラメント毛より小さく座屈強度が小さいものであれば、その断面形状などは特に限定されるものではなく、柔らかいフィラメント毛が断面形状が略多角形状で長さ方向にねじれを有するものであってもよい。この柔らかいフィラメント毛として、上記実施例の如く円形フィラメント毛を用いた場合には、ねじれたフィラメントを用いた歯ブラシを安価に製造することができる。従って、ねじれたフィラメント毛とそれより柔らかい円形フィラメント毛とを組み合わせて植毛部を構成することは好ましい態様である。
【００２３】
なお、ねじれたフィラメント毛の場合には、多数本を集束して毛束として植毛台の植毛穴に植設したときに、ねじれを有さない通常のフィラメント毛に比べて毛先が広がりやすい傾向がある。そこで、毛束先端の広がりを防止するために、植毛穴６の深さ（図３に示す寸法ｄ）は３．７〜４．２ｍｍの範囲内と深く設定することが好ましい。植毛穴６の深さが３．７ｍｍより浅い場合には、毛束５ａの先端側が拡がり易くなる。一方、植毛穴６の深さを必要以上に深くすると植毛台３の厚さ（図３に示すＤの寸法」）が厚くなり、使用感が悪くなるので好ましくない。
【００２４】
【発明の効果】
請求項１に係る発明では、横断面が略多角形状で長さ方向にねじれを有するフィラメント毛（ねじれたフィラメント毛）を集束した毛束とそれより横断面積が小さいフィラメント毛（柔らかいフィラメント毛）を集束した毛束とを混在させて歯ブラシの植毛部を構成することで、植毛部の座屈強度が全体にほぼ均一に小さくなるため、歯間部へのフィラメント毛の挿入性が向上し、挿入されたフィラメント毛の先端部による汚れ除去効果に加えて歯間部へ挿入されたねじれたフィラメント毛周面の凹凸部が歯間部の歯の表面へ接触して汚れを効果的に除去することができる。
【００２５】
請求項２に係る発明では、ねじれたフィラメント毛からなる毛束を植毛部の外側に植設し、柔らかいフィラメント毛からなる毛束を植毛部の内側に植設して植毛部を構成してなるので、全体をねじれたフィラメント毛のみから構成した場合に比べて植毛部全体の座屈強度が小さくなり歯間部へのフィラメント毛の挿入性の向上による汚れ除去効果の改善に加えて、植毛部の側面に位置するねじれたフィラメント毛周面の凹凸部の作用による効果的な汚れ除去効果が期待できる。
【００２６】
請求項３に係る発明では、植毛部の外側に位置するねじれたフィラメント毛からなる毛束列により効果的な汚れ除去ができる。
【００２７】
請求項４に係る発明では、植毛部を構成する毛束全体の４０％〜８０％をねじれたフィラメント毛からなる毛束で構成することで、植毛部全体の座屈強度が小さくなるため、歯間部の汚れを効果的に除去できる。
【００２８】
請求項５に係る発明によれば、前記ねじれたフィラメント毛より柔らかいフィラメント毛として、横断面円形で周面にねじれを有しないフィラメント毛（円形フィラメント毛）を用いることで、植毛部がねじれたフィラメント毛から構成され、かつ適度な座屈強度を有して歯間部の汚れ除去効果に優れた歯ブラシを低コストで製造することができる。
【００２９】
請求項６に係る発明によれば、横断面が略正三角形、略正方形及び略正五角形のねじれたフィラメント毛から植毛部が構成された、汚れ除去効果に優れた歯ブラシを提供することができる。
【図面の簡単な説明】
【図１】  本発明に係る歯ブラシの１実施例の斜視図。
【図２】  植毛台部分の平面図。
【図３】  図２におけるIII−III断面図。
【図４】  （ａ）はねじれを有するフィラメント毛の拡大図、（ｂ）はその断面形状と見掛けの円断面の説明図。
【図５】  （ａ）〜（ｄ）は、ねじれを有するフィラメント毛とそれより柔らかいフィラメント毛とを混在させる各種実施態様を示す植毛台部分の平面図。
【図６】  （ａ）、（ｂ）は歯間部清掃時の植毛部の状態を示す説明図。
【図７】  （ａ）〜（ｄ）は、ねじれを有するフィラメント毛とそれより柔らかいフィラメント毛とが偏在した植毛部の各種態様を示す植毛台部分の平面図。
【符号の説明】
１：歯ブラシ、２：ハンドル部、３：植毛台、４：植毛部、５：毛束、５Ａ、５Ｂ：毛束列、５ａ：ねじれたフィラメント毛からなる毛束、５ｂ：柔らかいフィラメント毛からなる毛束、６：植毛穴、７：ねじれたフィラメント毛、７ａ〜７ｄ：周面、Ｄ：植毛台の厚さ、ｄ：植毛穴の深さ、ｆ：フィラメント毛、Ｇ：見掛けの断面円とのギャップ、ｈ：毛丈、Ｌ：ねじれ１回のフィラメントの長さ、Ｒ：見掛けの断面円、Ｔ：歯、ｗ：植毛穴径、Ｚ：歯間部。
【図１】
0004720025.tif 000003
【図２】
0004720025.tif 000004
【図３】
0004720025.tif 000005
【図４】
0004720025.tif 000006
【図５】
0004720025.tif 000007
【図６】
0004720025.tif 000008
【図７】
0004720025.tif 000009